(57)【要約】【課題】  取付板に埋込式混合水栓を取り付けるにあたり、各現場により取付板の板厚が異なっていても、取付板から表側に突出するハンドルの高さを常に一定とし、しかも混合水栓の施工性を向上させる。【解決手段】  取付板２の裏側で湯，水の各供給管１６，１７が接続され、湯，水を混合する混合弁１１が収容された混合部材５には取付板２の表側に突出する筒部６が形成されており、該筒部６には供給された湯，水の混合比率を調節する温度調節ハンドル３２が装着された埋込式混合水栓４であって、前記混合部材５は取付板２に穿設された取付孔３より大径の鍔部８が形成され、取付板２の表側には取付板２の板厚より長い円筒部３４と薄板状のフランジ部３５とからなるスペーサー３３が固定され、取付板２の裏側からスペーサー３３に向けて混合部材５の筒部６を挿通させて、筒部６を取付板２の表側に突出させ、混合部材５の鍔部６とスペーサー３３の円筒部３４の先端を当接させると共に、取付板２の表側から固定ナット３９を筒部６に螺着した。【選択図】  図２
2005240408.tif 000002
【特許請求の範囲】
【請求項１】
取付板の裏側で湯，水の各供給管が接続され、湯，水を混合する混合弁が収容された混合部材には取付板の表側に突出する筒部が形成されており、該筒部には供給された湯，水の混合比率を調節する温度調節ハンドルが装着された埋込式混合水栓であって、前記混合部材は取付板に穿設された取付孔より大径の鍔部が形成され、取付板の表側には取付板の板厚より長い円筒部と薄板状のフランジ部とからなるスペーサーが固定され、取付板の裏側からスペーサーに向けて混合部材の筒部を挿通させて、筒部を取付板の表側に突出させ、混合部材の鍔部とスペーサーの円筒部の先端を当接させると共に、取付板の表側から固定ナットを筒部に螺着したことを特徴とする埋込式混合水栓の取付構造。
【請求項２】
取付板の裏側で湯，水の各供給管が接続され、湯，水を混合する混合弁が収容された混合部材と、該混合部材と接続し、混合部材から供給された混合水を所定の方向に切り替える切替弁が収容された切替部材と、該切替部材と接続し、混合部材で混合された湯水を吐水する吐水器具とを備え、前記混合部材及び切替部材には取付板の表側に突出する筒部が形成されており、混合部材の筒部には供給された湯，水の混合比率を調節する温度調節ハンドルが装着され、切替部材の筒部には混合水の吐水方向を切り替える切替ハンドルが装着された埋込式混合水栓であって、前記混合部材及び切替部材は取付板に穿設された取付孔より大径の鍔部が形成され、取付板の表側には取付板の板厚より長い円筒部と薄板状のフランジ部とからなるスペーサーが固定され、取付板の裏側からスペーサーに向けて各部材の筒部を挿通させて、筒部を取付板の表側に突出させ、各部材の鍔部とスペーサーの円筒部の先端を当接させると共に、取付板の表側から固定ナットを筒部に螺着したことを特徴とする埋込式混合水栓の取付構造。
【発明の詳細な説明】
【技術分野】
【０００１】
本発明は、洗面台，浴室等のカウンター又は壁面に取り付けられる埋込式混合水栓の取付構造に関するものである。
【背景技術】
【０００２】
従来、洗面台，浴室等のカウンターや壁面の取付板に取り付けられる埋込式混合水栓は、取付板の裏側で湯及び水の供給管が接続される水栓胴体と、水栓胴体の上面に形成され、取付板の表側に突出する筒部と、水栓胴体内部に形成された弁座を開閉する弁体を備えたハンドルと、ハンドルの調節により混合された混合水を吐水する吐水管と、筒部に形成された雄ねじ部に対し取付板の裏側から螺着される第１固定具、並びに取付板の表側から螺着される第２固定具とを備えていた。
【０００３】
しかし、埋込式混合水栓が取り付けられる各現場により取付板の板厚は異なる為、取付板から表側に突出したハンドルの高さが変化してしまい、常に一定の高さ寸法に規定することはできなかった。即ち、取付板の板厚が薄いときにはハンドルの高さが高くなり、取付板とハンドルとの間の間隔が大きくなり過ぎ、反対に、取付板の板厚が厚いときにはハンドルの高さが低くなり、取付板とハンドルとの間の間隔が小さくなり過ぎ、美観を損なう恐れがあった。
【０００４】
また、水栓胴体を取付板に対し強固に固定するには、取付板の板厚に合わせて第１固定具及び第２固定具を互いに締め付けなければならなかった。この時、取付板の裏側での作業は、作業スペースが狭いため工具の使用が制限され、第２固定具の締め付けは困難であった。そこで、取付板の厚みに関係なく、取付板から表側に突出したハンドルの高さを常に一定高さ寸法に規定することができるものとして公知のものに特許文献１のものがある。
【０００５】
特許文献１では、混合水栓は、取付板の裏側で湯，水の供給管が接続される混合栓胴体と、混合栓胴体から表側に突出した蛇口ヘッド用及びつまみ部材用の立上り筒と、各立上り筒の外周と間隔を隔てて混合栓胴体上面より突出した突起リブと、取付板の裏側で各立上り筒の外周に嵌合する座金と、各座金に螺着される取付筒と、湯，水が吐水される蛇口ヘッド及び吐水される湯水の流量を調節するつまみ部材と、蛇口ヘッド並びにつまみ部材を取付筒に装着する固定部材とから構成されている。
【０００６】
この混合水栓を取付板に取り付けるには、混合栓胴体の立上り部に座金を差し込み、座金に形成された貫通孔内に突起リブを挿入しておく。そして、取付板に穿設された取付孔の裏側より立上り筒の上部を取付板の表側に突出させ、取付板の表側から立上り筒に取付筒を差し込んだ後、取付筒の雄ネジを座金の雌ネジに螺着する。次に、固定部材を立上り筒の雄ネジに螺着し、この固定部材の下面を取付筒上面に当接させる。この時、各現場により取付板の板厚は異なる為、取付板の下面から突起リブ並びに混合栓胴体までの距離は異なるが、取付板の上面からハンドルまでの距離は常に変化することなく一定となるものである。
【０００７】
【特許文献１】特開平１１−３０３１６５号公報
【発明の開示】
【発明が解決しようとする課題】
【０００８】
しかしながら、特許文献１では、混合水栓を固定する際に、立上り筒に取付筒を差し込んだ後に取付筒の雄ネジを座金の雌ネジに螺着するが、取付板の裏側から座金の位置を調節する必要があり、施工性が悪いものであった。
【０００９】
本発明は、このような従来の技術に存在する問題点に着目してなされたものであり、その目的は、取付板に埋込式混合水栓を取り付けるにあたり、各現場により取付板の板厚が異なっていても、取付板から表側に突出するハンドルの高さを常に一定とし、しかも施工性を向上させるものである。
【課題を解決するための手段】
【００１０】
請求項１に記載の発明では、取付板の裏側で湯，水の各供給管が接続され、湯，水を混合する混合弁が収容された混合部材には取付板の表側に突出する筒部が形成されており、該筒部には供給された湯，水の混合比率を調節する温度調節ハンドルが装着された埋込式混合水栓であって、前記混合部材は取付板に穿設された取付孔より大径の鍔部が形成され、取付板の表側には取付板の板厚より長い円筒部と薄板状のフランジ部とからなるスペーサーが固定され、取付板の裏側からスペーサーに向けて混合部材の筒部を挿通させて、筒部を取付板の表側に突出させ、混合部材の鍔部とスペーサーの円筒部の先端を当接させると共に、取付板の表側から固定ナットを筒部に螺着したものである。
【００１１】
請求項２に記載の発明では、取付板の裏側で湯，水の各供給管が接続され、湯，水を混合する混合弁が収容された混合部材と、該混合部材と接続し、混合部材から供給された混合水を所定の方向に切り替える切替弁が収容された切替部材と、該切替部材と接続し、混合部材で混合された湯水を吐水する吐水器具とを備え、前記混合部材及び切替部材には取付板の表側に突出する筒部が形成されており、混合部材の筒部には供給された湯，水の混合比率を調節する温度調節ハンドルが装着され、切替部材の筒部には混合水の吐水方向を切り替える切替ハンドルが装着された埋込式混合水栓であって、前記混合部材及び切替部材は取付板に穿設された取付孔より大径の鍔部が形成され、取付板の表側には取付板の板厚より長い円筒部と薄板状のフランジ部とからなるスペーサーが固定され、取付板の裏側からスペーサーに向けて各部材の筒部を挿通させて、筒部を取付板の表側に突出させ、各部材の鍔部とスペーサーの円筒部の先端を当接させると共に、取付板の表側から固定ナットを筒部に螺着したものである。
【発明の効果】
【００１２】
本発明の請求項１によると、混合水栓を取付板に取り付けるにあたり、混合部材の鍔部と、スペーサーの円筒部の先端とが当接するので、混合水栓は取付板の板厚に関係なく取付板から表側に突出するハンドルの高さを常に一定とすることができる。また、取付板の表側から固定ナットを締め付けていくと、混合部材の鍔部とスペーサーのフランジ部との距離を縮めようとする力が働くため、混合水栓を固定する作業は取付板の表側のみから容易に行うことができるものである。
【００１３】
本発明の請求項２によると、混合水栓を取付板に取り付けるにあたり、混合部材及び切替部材の鍔部と、スペーサーの円筒部の先端とが当接するので、混合水栓は取付板の板厚に関係なく取付板から表側に突出するハンドルの高さを常に一定とすることができる。また、取付板の表側から固定ナットを締め付けていくと、混合部材及び切替部材の鍔部とスペーサーのフランジ部との距離を縮めようとする力が働くため、混合水栓を固定する作業は取付板の表側のみから容易に行うことができるものである。
【発明を実施するための最良の形態】
【００１４】
以下、本発明の実施例を図に基づいて詳細に説明する。
【実施例１】
【００１５】
図１及び図２は浴室１のカウンター等の取付板２に本発明の埋込式混合水栓４が取り付けられた状態の全体図であり、埋込式混合水栓４は、取付板２の裏側で湯及び水の供給管１６，１７が接続される混合部材５と、該混合部材５と接続し、混合部材５で混合された混合水を所定の方向に供給するための切替部材２１と、混合部材５及び切替部材２１にそれぞれ装着されるハンドル３２，３２ａと、所定の場所に設置され、切替部材２１から供給される混合水を吐水するための吐水器具３０，３０ａと、取付板２の表側に固定され、混合部材５及び切替部材２１が取付板２の表側に必要以上に突出しないように規制するスペーサー３３と、取付板２の表側からスペーサー３３の上面に配置され、取付板２に混合部材５及び切替部材２１をそれぞれ固定させる固定ナット３９とから構成されている。
【００１６】
前記混合部材５は、図２及び図３に示すように、取付板２の裏側に配置されるもので、取付板２に穿設された取付孔３より大径に形成された鍔部８を挟んで、上方には取付孔３より小径で、外周に雄ねじ７が刻設された円筒形状の筒部６が形成され、下方には湯及び水が流入される混合部９が形成されている。また、混合部材５の内部には収容室１０が形成されており、該収容室１０には前記供給管１６，１７から供給された湯，水を混合し、使用者の希望する温度に調節する混合弁１１が収容されている。
【００１７】
前記混合部９の略中央の外周面には、互いに対向する面に湯及び水の流入口１２，１３がそれぞれ突出して形成されており、該流入口１２，１３には湯，水の供給管１６,１７がそれぞれ接続されている。また、混合部９の下方には、第１流出口１４及び第２流出口１５がそれぞれ水平方向に突出して形成されており、第１流出口１４にはキャップ１８が、第２流出口１５には切替部材２１に連通する連結管１９が結合されている。
【００１８】
前記混合弁１１は従来より公知のものであり、内部に収容されたワックスや形状記憶合金等の感温部材が混合水の温度に応じて弁体を移動させ、混合弁１１内部に流入する湯，水の流量を制御し、吐水される混合水の温度を設定温度に調節するものである。なお、混合部材５の筒部６先端に締付ナット２０が螺着され、混合弁１１は収容室１０から抜け出すことがないように固定されている。
【００１９】
前記切替部材２１は、混合部材５と同様に取付板２の裏側で混合部材５の近傍に配置され、取付孔３より大径に形成された鍔部２４を挟んで、上方には取付板２より小径で、外周に雄ねじ２３が刻設された円筒形状の筒部２２が形成され、下方には混合部材５から供給された混合水が流入される切替部２７が形成されている。また、切替部材２１の内部には収容室２５が形成されており、該収容室２５には混合部材５から供給された混合水を所定場所に設置された複数個の吐水器具３０，３０ａのうち何れかへ切り替えるための従来より公知である切替弁２６が収容されている。さらに、切替部２６の外周面には複数の流出口２８，２８が突出して形成されており、該流出口２８，２８には配管２９，２９がそれぞれ接続され、該配管２９，２９は浴室１内の所定位置に設置された各吐水器具３０，３０ａとそれぞれ連通している。
【００２０】
前記ハンドル３２，３２ａは、混合部材５に収容された混合弁１１及び切替部材２１に収容された切替弁２６の先端にそれぞれ装着されている。混合弁１１の先端に装着された温度調節ハンドル３２は、回転させることにより吐水される混合水の温度を調節し、また、切替弁２６の先端に装着された切替ハンドル３２ａは、回転させることにより混合水の吐水方向を選択するものである。
【００２１】
前記吐水器具３０，３０ａは、浴室１内の所定位置に取り付けられ、洗い場や浴槽に混合水を供給するもので、例えば、図１に示すように吐水管３０やシャワーヘッド３０ａである。
【００２２】
前記スペーサー３３は外径の異なる円筒体を組み合わせた形状で、円筒部３４と、該円筒部３４より大径で薄板状のフランジ部３５とから形成されている。円筒部３４は外径が取付孔３と略同径で、その上下の長さは取付板３の板厚より長く設定されている。フランジ部３５は取付孔３より大径で、その上面には挿通孔３６が円周上に等間隔で複数個（本実施例では３個）形成されており、スペーサー３３は取付板２に対し止めビス３８により固定可能としたものである。また、スペーサー３３の内部には、前記混合部材５及び切替部材２１の筒部６，２２に形成された雄ねじ７，２３と略同径の開口３７が形成されている。
【００２３】
前記固定ナット３９は、工具を係止させるための工具係止部４１が周面に形成された六角部４０と、該六角部４０の下部に形成され、前記スペーサー３３のフランジ部３５の外径と略同径の円盤部４２とから構成されている。該円盤部４２の周面には環状の凹溝４３が形成されており、該凹溝４３にはゴム等の弾力性のあるシール部材４４が装着されている。また、固定ナット３９の内周面には、前記混合部材５又は切替部材２１の筒部６，２２に形成された雄ねじ７，２３と螺着するための雌ねじ４５が形成されている。
【００２４】
上記構成において、埋込式混合水栓４の取付板２への取付手順を図５乃至図７を用いて説明する。また、図４は板厚が異なる取付板２に埋込式混合水栓４を取り付けた場合の比較図であり、（ａ）と比較して（ｂ）は板厚が厚い。なお、混合部材及び切替部材の取付方法は何れも同一であるため、混合部材のみの取付手順を例示する。
【００２５】
埋込式混合水栓４を取付板２に取り付けるには、まず、図５に示すように、取付板２に穿設された取付孔３にスペーサー３３の円筒部３４を取付板２の表側から挿通させて、取付板２の表側にスペーサー３３のフランジ部３５を当接させた後、止めビス３８を挿通孔３６に締め込んでスペーサー３３を取付板２に固定する。
【００２６】
次に、取付板２の裏側からスペーサー３３の開口３７に向けて混合部材５の筒部６を挿通させ、取付板２の表側に筒部６を突出させる。さらに混合部材５を挿通させていくと、図６に示すように、混合部材５の鍔部８とスペーサー３３の円筒部３４の先端とが当接する。この時、スペーサー３３の円筒部３４の上下長さは取付板２の板厚より長く設定されているので、混合部材５の鍔部８とスペーサー３３のフランジ部３５との間の距離が常に一定となる。即ち、取付板２から表側に突出している混合部材５の筒部６の突出量が常に一定となる。
【００２７】
次に、図７に示すように、取付板２の表側から筒部６の雄ねじ７に固定ナット３９を螺着していくと、混合部材５の鍔部８とスペーサー３３のフランジ部３５との間の距離を縮めようとする力が働くため、混合部材５は取付板２に強固に固定される。
【００２８】
混合部材５の取付板２への固定と同様に、切替部材２１を取付板２に取り付けた後、スペーサー３３及び固定ナット３９を覆うようにカバー３１を嵌挿し、混合弁１１及び切替弁２６の先端にそれぞれハンドル３２，３２ａを取り付ける。そして、混合部材５及び切替部材２１を連結管１９により結合した後、混合部材５に湯，水の供給管１６，１７を、また切替部材２１に吐水器具３０へ連通する配管２９をそれぞれ接続すると、図２に示すように、埋込式混合水栓４の取り付けが完了する。この時、図４に示すように、取付板２から表側に突出している筒部６，２２の突出量が取付板２の板厚に関係なく常に一定であるため、取付板２から表側に突出するハンドル３２，３２ａの高さも常に一定の高さとなる。
【００２９】
以上のように、本発明の埋込式混合水栓によると、取付板に埋込式混合水栓を取り付けるにあたり、混合部材の鍔部と、スペーサーの円筒部の先端とが当接することにより、取付板の表側に突出した混合部材の突出量が常に一定となるため、各現場により取付板の板厚に関係なく、取付板から表側に突出するハンドルの高さを常に一定とすることができる。しかも、混合部材は、取付板の表側から固定ナットを締め付けるだけで取付板に強固に固定でき、埋込式混合水栓の施工性を向上させるものである。
【図面の簡単な説明】
【００３０】
【図１】本発明の埋込式混合水栓を取付板に取り付けた状態を示す全体図である。
【図２】埋込式混合水栓の一部断面図である。
【図３】混合部材の要部分解斜視図である。
【図４】混合部材を板厚の異なる取付板に取り付けた場合の説明図であり、（ａ）は取付板の板厚が薄い場合、（ｂ）は取付板の板厚が厚い場合である。
【図５】埋込式混合水栓の取付手順を示すもので、スペーサーを取付板に取り付けた状態の説明図である。
【図６】図５において、混合部材の鍔部とスペーサーの円筒部の先端とが当接した状態の説明図である。
【図７】図６において、混合部材に固定ナットを取り付けた状態の説明図である。
【符号の説明】
【００３１】
２：  取付板
３：  取付孔
４：  埋込式混合水栓
５：  混合部材
６，２２：  筒部
８，２４：  鍔部
２１：  切替部材
３３：  スペーサー
３４：  円筒部
３５：  フランジ部
３７：  開口
３２：  温度調節ハンドル
３２ａ：  切替ハンドル
【図１】
2005240408.tif 000003
【図２】
2005240408.tif 000004
【図３】
2005240408.tif 000005
【図４】
2005240408.tif 000006
【図５】
2005240408.tif 000007
【図６】
2005240408.tif 000008
【図７】
2005240408.tif 000009